(57)【要約】      （修正有）【課題】高高度を飛翔するコウモリ種などであっても簡単、かつ効率的に判別することができるコウモリ種の判別方法を提供する。【解決手段】空中に浮遊し得る飛翔体１２と、飛翔体１２に取り付けられて空中に該飛翔体１２と共に浮遊し、コウモリ種自体または該コウモリ種の毛の一部を検体として採取し得る採取器１３とを備え、その採取された検体からコウモリ種の判別を行うようにした。【選択図】図１
2017000057.tif 000002
【特許請求の範囲】
【請求項１】
コウモリ種の判別方法であって、
空中に浮遊し得る飛翔体と、
前記飛翔体に取り付けられて空中に該飛翔体と共に浮遊し、少なくとも前記コウモリ種自体または該コウモリ種の毛の一部を検体として採取し得る採取器とを備え、
前記採取された検体からコウモリ種の判別を行う、ことを特徴とするコウモリ種の判別方法。
【請求項２】
前記採取された検体のＤＮＡを分析してコウモリ種の判別を行う、ことを特徴とする請求項１に記載のコウモリ種の判別方法。
【発明の詳細な説明】
【技術分野】
【０００１】
本発明は、例えば環境アセスメントなどに使用するデータを得るためのコウモリ種の判別方法に関するものである。
【背景技術】
【０００２】
高くて視認性が悪い送電線などの構造物や、発電用風車の設置、飛行場の建設などを行う場合に、野鳥などが衝突するバードストライクが問題となる。バードストライクは鳥類だけでなく、コウモリ種も数多く含まれている。したがって、それらの生息保全を検討する際には、飛翔行動状況の把握が必要になる。また、鳥類やコウモリ種のうち、特にコウモリ種は夜行性であり、外見が類似しているため、捕獲をしないと種の判別が難しい。そのため、調査方法は、カスミ網による捕獲や、テレビカメラなどを用いた定点観測に限られている(例えば、特許文献１参照)。
【０００３】
カスミ網により捕獲して調査する方法は、日中、コウモリ種の既知のねぐら付近に高さが１〜５メートル程の網を仕掛けておき、夜中にその網に引っ掛かったコウモリ種を捕獲することで、コウモリ種の種類を特定する方法である。
【０００４】
一方、テレビカメラなどを用いた定点観測は、日中、コウモリ種の既知のねぐら付近にテレビカメラを設置しておき、夜間テレビカメラの視野範囲に入ったコウモリ種を、モニターの画面を調査員が目で見て、その種類などを特定する方法である。
【先行技術文献】
【特許文献】
【０００５】
【特許文献１】特開２００７−２９２６４５号公報。
【発明の概要】
【発明が解決しようとする課題】
【０００６】
前述したカスミ網により捕獲して調査する方法は、カスミ網が５メートル程の高さまでしか設置できない。そのため、捕獲できるのは、森林の低い空間を生息環境とする特定の種に限られる。
【０００７】
一方、テレビカメラなどを用いた定点観測は、夜間にテレビカメラの視野範囲に入ったコウモリ種を、調査員がモニター画面を目で見て、そのモニターに映し出された画像から種類などを特定するので、テレビカメラから離れて小さく映る、例えば高高度を飛翔するコウモリ種の判別は不可能であり、また調査員の負担も大きく、精度的にも悪い。
【０００８】
そこで、高高度を飛翔するコウモリ種などであっても、簡単、かつ効率的に判別することができるコウモリ種の判別方法を提供するために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、コウモリ種の判別方法であって、空中に浮遊し得る飛翔体と、前記飛翔体に取り付けられて空中に該飛翔体と共に浮遊し、少なくとも前記コウモリ種自体または該コウモリ種の毛の一部を検体として採取し得る採取器とを備え、前記採取された検体からコウモリ種の判別を行う、コウモリ種の判別方法を提供する。
【００１０】
この方法によれば、コウモリ種自体または該コウモリ種の毛の一部を検体として採取し得る採取器を、飛翔体と共に空気中の高高度の位置に浮遊させ、その採取器により採取された検体からコウモリ種の判別を直接行うことができる。したがって、従来、カスミ網などで捕獲して調査する方法では、せいぜい５メートル程度の高さを飛ぶコウモリ種の検体しか得ることができなかったが、本発明の方法によれば、それよりも遙かに高い高高度の空中を飛んでいるコウモリ種の調査を行うことができる。また、従来、テレビカメラなどで間接的に判別している方法に対して、検体を直接得て判別を行うことができるので、精度も向上する。さらに、採取器を飛翔体と共に浮遊させて、その設置位置を容易に変更することができるので、広範囲に亘る調査を短期間で終わらせることができる。
【００１１】
請求項２記載の発明は、請求項１記載の方法において、前記採取された検体のＤＮＡを分析してコウモリ種の判別を行う、コウモリ種の判別方法を提供する。
【００１２】
この方法によれば、採取された検体のＤＮＡを分析してコウモリ種の判別を正確に行うことが可能となる。
【発明の効果】
【００１３】
本発明によれば、コウモリ種の既知のねぐらや、飛来位置付近、及び、低空位置から高高度の位置まで広い範囲に亘って飛翔体と共に採取器を浮遊させ、コウモリ種自体またはコウモリ種の毛の一部を採取器により検体として直接採取し、その検体からコウモリ種を直接判別することができるので、判別精度が向上する。また、採取器を飛翔体と共に浮遊させながら位置を容易に変更することができるので、作業性が向上し、広範囲に亘る調査を効率的に短期間で終わらせることができる。
【図面の簡単な説明】
【００１４】
【図１】本発明に係るコウモリ種の判別方法を実施するのに好適な、第１のシステム構成装置を示す全体図である。
【図２】前記第１のシステム構成装置の一変形例を説明する図である。
【図３】前記第１のシステム構成装置の別の変形例を説明する図である。
【図４】本発明に係るコウモリ種の判別方法を実施するのに好適な、第２のシステム構成装置を示す全体図である。
【図５】本発明に係るコウモリ種の判別方法を実施するのに好適な、第３のシステム構成装置を示す全体図である。
【発明を実施するための形態】
【００１５】
本発明は、高高度を飛翔するコウモリ種などであっても簡単、かつ効率的に判別することができるコウモリ種の判別方法を提供するという目的を達成するために、空中に浮遊し得る飛翔体と、前記飛翔体に取り付けられて空中に該飛翔体と共に浮遊し、少なくとも前記コウモリ種自体または該コウモリ種の毛の一部を検体として採取し得る採取器とを備え、前記採取された検体からコウモリ種の判別を行う、ようにしたことにより実現した。
【００１６】
以下、図面を参照しながら本発明の実施形態によるコウモリ種の判別方法の好適な実施例を説明する。
【実施例】
【００１７】
図１は、本発明に係るコウモリ種の判別方法を実施するのに好適な、第１のシステム構成装置を示す全体図である。その第１のシステム構成装置１１では、空中に浮遊し得る飛翔体１２と、その飛翔体１２に取り付けられて該飛翔体１２と共に空中に浮遊される採取器１３等で構成されている。
【００１８】
前記飛翔体１２は、遠隔操作やコンピュータ制御によって飛行して、空中を浮遊し得る、例えばドローンと呼ばれる無人航空機である。その飛翔体１２には、ＧＰＳ（全地球測位システム）が組み込まれており、現在地の緯度・経度及び高さを計算しながら、予め設定された定位置(緯度・経度及び高さ)に浮遊された状態で飛行し得る。その飛翔体１２の高度は、遠隔制御により２５０メートル程度まで浮遊することが可能である。
【００１９】
前記採取器１３は、円環状に形成されたヘリウムガス風船１４と、そのヘリウムガス風船１４の下面全周から環状に垂れ下がった状態にして、該ヘリウムガス風船１４に取り付けられているカスミ網１５と、よりなる。また、ヘリウムガス風船１４内には、空気よりも軽い機体であるヘリウムガスが充填されている。したがって、ヘリウムガス風船１４は浮力を有し、カスミ網１５と共に空中に浮遊し得る状態になっている。一方、カスミ網１５は、黒色若しくは半透明な糸を使用して網状に形成されており、飛来するコウモリ種が網目内に突入して捕獲できるようになっている。
【００２０】
さらに、前記採取器１３には、環状に垂れ下がったカスミ網１５の内部に、コウモリ種の餌となる蛾などを誘引するための集虫灯１６が取り付けられている。その集虫灯１６は、明るくて電力消費の少ない、例えばＬＥＤなどが使用される。
【００２１】
そして、採取器１３と飛翔体１２との間は、連結紐１７と連結棒１８及び連結ロープ１９を介して連結されており、この連結により前記飛翔体１２と採取器１３と集虫灯１６は一体化されている。
【００２２】
このように構成されたシステム構成装置１１は、図１に示すように、夜間、採取器１３及び集虫灯１６を吊り下げた飛翔体１２をコウモリ種の既知のねぐらや飛来位置付近などにおける、森林上空の定位置(例えば、１０メートルから１００メートル程度の高高度位置)に浮遊させておく。この状態で、コウモリ種が集虫灯１６に集まった蛾などの餌をめがけて飛来してくると、カスミ網１５にコウモリ種が懸かり、コウモリ種自体が検体として捕獲される。そして、コウモリ種自体が捕獲された場合は、そのコウモリ種からコウモリの種類を直接判別することができる。
【００２３】
したがって、このようにして飛来しているコウモリ種の判別を行うにより、周囲に生息するコウモリ種を知り、バードストライクや環境アセスメント資料として使用することができる。
【００２４】
なお、図１に示したシステム構成装置１１では、採取器１３と飛翔体１２との間を、連結紐１７と連結棒１８及び連結ロープ１９を介して連結し、その連結により採取器１３と前記飛翔体１２と集虫灯１６を一体化してなる構成を開示した。しかし、この構成に限ることなく、例えば図２に示すような構成にすることも可能である。
【００２５】
すなわち、図２は図１に示したシステム構成装置１１の変形例である。その図２に示すシステム構成装置１１の構成を、図１と同じ部材には同じ符号を付し、構成の異なる部分だけを次に説明する。図２に示すシステム構成装置１１では、飛翔体１２の下面側から支柱２０を垂下させている。また、その支柱２０の下端部分に集虫灯１６を取り付け、さらに支柱２０の途中に連結紐１７を介して採取器１３を取り付けている。これにより、前記飛翔体１２と採取器１３と集虫灯１６が一体化されている。
【００２６】
したがって、図２に示す変形例によるシステム構成装置１１でも、夜間、採取器１３及び集虫灯１６が吊り下げられた飛翔体１２を、コウモリ種の既知のねぐらや飛来位置付近などにおける、森林上空の定位置(高高度位置)に浮遊させておくと、カスミ網１５でコウモリ種を検体として採取することができる。そして、その検体から飛来しているコウモリ種の判別を行い、周囲に生息するコウモリ種を知って環境モニタリング資料として使用することができる。
【００２７】
また、図２に図１の変形例として示したシステム構成装置１１を更に図３に示す変形例のようにして実施することも可能である。すなわち、図３は図２に示したシステム構成装置１１を更に変形例したものである。その図３に示すシステム構成装置１１の構成を、図１及び図２と同じ部材には同じ符号を付し、構成の異なる部分だけを次に説明する。図３に示すシステム構成装置１１では、支柱２０の下端部分に採取器１３を取り付けている。その採取器１３は、支柱２０の外周等間隔の位置から放射状に外側へ水平に延びる４本の梁２１と、各梁２１からそれぞれ幕状にして垂れ下がる、４枚のカスミ網２５とでなる。そして、前記集虫灯１６は、その垂れ下がった４つのカスミ網２５の中心に配置されている。
【００２８】
したがって、図３に示す変形例によるシステム構成装置１１でも、採取器１３及び集虫灯１６が吊り下げられた飛翔体１２を、夜間、コウモリ種の既知のねぐらや飛来位置付近などにおける森林上空の定位置(高高度位置)に浮遊させておくと、カスミ網２５でコウモリ種を検体として採取することができる。そして、その検体から飛来しているコウモリ種の判別を行い、周囲に生息するコウモリ種を知って環境モニタリング資料として使用することができる。
【００２９】
次に、図４は、本発明に係るコウモリ種の判別方法を実施するのに好適な、第２のシステム構成装置３１を示す全体図である。その図４に示すシステム構成装置３１の構成を、図１〜図３に示した第１のシステム装置１１と同じ部材には同じ符号を付し、構成の異なる部分だけを次に説明する。その第２のシステム構成装置３１は、飛翔体１２の下面側から支柱３２を垂下させ、その支柱３２の下端部分に採取器１３を取り付けている。その採取器１３は、図３に示した採取器１３と同様に、支柱３２の外周等間隔の位置から放射状に外側へ水平に延びる４本の梁２１と、その各梁２１からそれぞれ幕状にして垂れ下がる４枚のカスミ網２５とでなる。そして、前記集虫灯１６は、その垂れ下がった４つのカスミ網２５の中心に配置されている。
【００３０】
また、各梁２１にはそれぞれ、ヘリウムガスが充填された浮遊するヘリウムガス風船３４を取り付け、そのヘリウムガス風船で採取器１３に浮力を与え、飛翔体１２の浮遊力を軽減させている。さらに、支柱３２には、ロープ３３が取り付けられ、第２のシステム構成装置３１が風などで不用意に飛んでいかないようにするために、そのロープ３３を介して地上の定位置に留めておくことができるようになっている。
【００３１】
このように構成された第２のシステム構成装置３１は、図４中に示すように、夜間、採取器１３及び集虫灯１６を吊り下げた飛翔体１２を風力発電装置３５付近もしくはその計画予定地に浮遊させておく。この状態で、コウモリ種が集虫灯１６に集まった蛾などの餌をめがけて飛来してくると、カスミ網２５にコウモリ種が懸かり、コウモリ種自体が検体として捕獲される。そして、捕獲されたコウモリ種からコウモリの種類を直接判別することができる。こうして飛来しているコウモリ種の判別を行うにより、周囲に生息するコウモリ種を知り、またバードストライクや環境アセスメント資料などとして使用することができる。
【００３２】
なお、図１〜図４に示す各実施例及び変形例において、集虫灯１６に変えて、コウモリ類の好きな餌、若しくは疑似餌を取り付けてもよい。
【００３３】
次に、図５は、本発明に係るコウモリ種の判別方法を実施するのに好適な、第３のシステム構成装置４１を示す全体図である。図５に示す第３のシステム構成装置４１は、飛翔体として、測量用のバルーン(係留気球)４２を使用したものであり、浮遊させたバルーン紐４３の途中に採取器としての粘着性のあるトラップ(罠)４４と、そのトラップ４２にコウモリ種を誘き寄せるための疑似餌４５を取り付けた構成になっている。
【００３４】
このように構成された第３のシステム構成装置４１は、図５中に示すように、バルーン紐４３の途中に採取器としてのストラップ４４と疑似餌４５を吊り下げた飛翔体としてのバルーン４２を、夜間、風力発電装置３５付近に飛ばして浮遊させておく。この状態で、コウモリ種が疑似餌４５をめがけて飛来してくると、ストラップ４４にコウモリ種が触れることで検体として毛が残される。そして、その採取された残毛からＤＮＡを分析してコウモリ種を判別する。こうして飛来しているコウモリ種の判別を行うにより、周囲に生息するコウモリ種を知り、またバードストライク資料などとして使用することができる。
【００３５】
なお、ＤＮＡ分析は、例えば国際塩基配列データベース(ＩＮＳＤ)及び日本ＤＮＡデータバンク(ＤＤＢＪ)などで実施可能である。
【００３６】
なお、本発明は、本発明の精神を逸脱しない限り図１〜図５に示した以外にも種々の改変を為すことができ、そして、本発明が該改変されたものに及ぶことは当然である。
【産業上の利用可能性】
【００３７】
以上説明したように、本発明はコウモリ種の観測以外に、類似する飛翔性動物等の観測にも応用できる。
【符号の説明】
【００３８】
１１      第１のシステム構成装置
１２      飛翔体
１３      採取器
１４      ヘリウムガス風船
１５      カスミ網
１６      集虫灯
１７      連結紐
１８      連結棒
１９      連結ロープ
２０      支柱
２１      梁
２５      カスミ網
３１      第２のシステム構成装置
３２      支柱
３３      ロープ
３４      ヘリウムガス風船
３５      風力発電装置
４１      第３のシステム構成装置
４２      バルーン(飛翔体)
４３      バルーン紐
４４      トラップ(採取器)
４５      疑似餌
【図１】
2017000057.tif 000003
【図２】
2017000057.tif 000004
【図３】
2017000057.tif 000005
【図４】
2017000057.tif 000006
【図５】
2017000057.tif 000007